(57)【要約】【課題】  従来、祭りや踊り等は昼夜を問わず行われ、昼間は鳴子が発光することで観客の目を引き、夜間は特に祭りや踊りが賑わうため鳴子が発光することにより、祭りや踊りをさらに賑やかに、かつ豪華に演出する。また、各踊り子隊や踊り子の衣装や鳴子の色等に発光色を合わせることができることによって、よりいっそう個性を発揮でき、多様な変化に対応できるよう考案した。【解決手段】  本考案は鳴子本体の鳴子板（１）に発電モジュール（２）を装着し、鳴子を振動させることによって発電モジュール（２）が振動を感知して発電し、発光ダイオード（３）に通電することによって発光し、面倒な電池交換が不要となり、長時間の使用が可能となる。  また、本来の型である両面打ち鳴子にも発光装置を装着でき、より軽量化を図り、故障の減少に努め、安価で顧客が購入しやすい低価格で、本来の鳴子の本質を損なわないことを特徴として考案した発光式鳴子を提供する。【選択図】  図６
0003103065.tif 000002
【実用新案登録請求の範囲】
【請求項１】
鳴子本体の鳴子板（１）に鳴子駒（６）を付し、鳴子駒（６）に鳴子バチ（５）を遊着させた鳴子本体の鳴子板（１）に、発電機能及び振動感知センサー機能を備えた発電モジュール（２）を装着し、発光ダイオード（３）を付した基盤（４）を鳴子本体の鳴子板（１）の裏面に付し、発光ダイオード（３）を発光させることを特徴とした発光式鳴子。
【請求項２】
発光ダイオード（３）は発電モジュール（２）が、鳴子を振ることによって発生した鳴子本体の振動を感知することによって発電し、発光ダイオード（３）に通電することによって発光ダイオード（３）を点滅するとことを構成した請求項１に記載の発光式鳴子。
【考案の詳細な説明】
【技術分野】
【０００１】
本考案は祭りの際、踊り等でリズム取り等に使用する鳴子に関する。
【背景技術】
【０００２】
従来から、祭りや踊り等で使用する鳴子は、手で握って振るたびに鳴子板に鳴子バチがあたることによって音を発生し、踊りにリズムをつけ、賑やかにし、調子をとる道具として使用されているものが一般的な鳴子である。
現在、鳴子本体に改良を加えて、「電飾付き鳴子」が考案されているが、電源に電池を使用しており、構造が複雑で、故障が多く、また、重量が重くなるため、踊り子達への負担が大きくなる。
【０００３】
【特許文献１】実用新案登録第３０８９０２８号公報
【考案の開示】
【考案が解決しようとする課題】
【０００４】
現在考案されている「電飾付き鳴子」は電池ボックス・電池・電飾帯・電飾灯・スイッチボタン・透孔等の多数の複雑な部品を必要とするものであり、電池の寿命により電池交換を必要とし、スイッチを入れる手間がかかり、構造が複雑で故障が多く、これらの部品点数が多いことによって複雑かつ重量が重くなり、踊り子達が長時間の使用に耐えられないという欠点がある。祭りや踊り等は昼夜を問わず行われるため、昼間は鳴子が発光することにより観客の目を引き、祭りや踊り等は夜間には特に賑わうため鳴子が発光することにより、夜間の祭りや踊りをさらに賑やかに、かつ豪華に演出するために考案した発光式鳴子である。
【課題を解決するための手段】
【０００５】
本考案はこの点に鑑み、現在考案されている「電飾付き鳴子」とは違い、電池交換を不要にするとともに、部品点数の減少、故障の減少、軽量化、価格の低減をはかったものであり、踊り子が長時間使用でき、顧客が購入しやすく、昼間は観客の目を引き、夜間は祭りや踊りをさらに賑やかに、かつ豪華に演出するために考案した発光式鳴子である。
【考案の効果】
【０００６】
本考案は、発電モジュールを使用して自家発電するため、電池交換が不要となり、軽量化されることにより、踊り子達が長時間の使用に耐えられるようになる。
また、部品点数が少なくなるため、構造が簡単で故障が少なく、スイッチを押すなどの手間等が不要になることを特徴とする。
また、発光ダイオードの発光色、発光位置、発光数、輝度等の様々な変化により各踊り子隊が、それぞれのチームのもつ個性や特徴をより強調でき、踊り子個人の個性や特徴を発揮できることを特徴とした発光式鳴子。
【考案を実施するための最良の形態】
【０００７】
本考案は図２、図３及び図４を参照して、鳴子本体の鳴子板（１）に発光装置を埋め込んで装着するものである。この発光装置は図２、図３及び図４が示すように、発電モジュール（２）及び発光ダイオード基盤（４）に発行ダイオード（３）を付した装置からなり、鳴子板（１）を振り、鳴子バチ（５）が鳴子板（１）と発電モジュール（２）に当たり、発電モジュール（２）が振動するたびに発電し、発光ダイオード（３）に通電して点滅する発光式鳴子。
図５は最も多く使用されている本来の両面打ち鳴子の斜視図であり、図６は図５に対して発光用部品を装着した両面打ち発光式鳴子の斜視図であり、鳴子バチ（５）の下に発電モジュール（２）を埋め込み、発光ダイオード基盤（４）に発行ダイオード（３）を付したものを鳴子バチ（５）の両側に装着したものである。
このように発光用部品を装着しても本来の鳴子の形状や本質を損なうことのないように考案した発光式鳴子である。
【０００８】
部品点数が大幅に減少するため、本来の鳴子の本質を損なうことなく、非常に軽量となり踊り子達への負担が軽減され長時間使用することが可能となる。
【０００９】
部品点数が大幅に減少したため故障が少なくなり、価格を安価に提供できるため顧客が購入しやすくなる。
【００１０】
現在考案されている「電飾付き鳴子」は片面打ち鳴子による考案であるが、本来の鳴子は鳴子バチを鳴子本体の鳴子板の両面に遊着した両面打ちの鳴子が大半を占めており、本考案によって発光用部品点数が大幅に減少するため、発光位置を変化させることにより、本来の鳴子の本質を損なうことなく、従来の両面打ちの発光式鳴子の製作が可能となり、鳴子に多様な変化が得られることを特徴とした発光式鳴子である。
【００１１】
本考案の発光式鳴子は両面打ち鳴子の数箇所に発光ダイオードを設けることができるものであり、その場合でも発電モジュールは１個で発電できるため、発電用部品を増すことなく、よりいっそう祭りや踊りをさらに賑やかに、かつ豪華に演出できる。
【実施例】
【００１２】
図１は片面打ち羽子板型鳴子であり、鳴子本体の鳴子板（１）に握り部分があり、この握り部分を握り、踊りのリズムをとる鳴子である。図２及び図３は図１に対して本考案の発光式鳴子の斜視図であり、図２は鳴子駒（６）によって遊着されている鳴子バチ（５）が鳴子本体の鳴子板（１）を振るたびに自由に振られて板に当たり「カチ、カチ」と音を立てて踊りのリズムをとる鳴子の鳴子バチ（５）の下部に発電モジュール（２）を埋め込んだ発光式鳴子である。図３は鳴子本体の裏面に発光ダイオード基盤（４）に発光ダイオード（３）を付したものを装着した発光式鳴子。
【００１３】
本考案は現在考案されている「電飾付き鳴子」とは違い、発光用部品を装着しても本来の鳴子の形状や本質を損なうことのないように考案した発光式鳴子である。
【００１４】
本考案の発光式鳴子は発光ダイオードの発光色、発光位置、発光数、輝度等を変えることにより様々な変化が得られ、踊り子や踊り子隊の個性や特徴を引き出すことによって、昼夜を問わず、賑やかに、かつ豪華に演出できる発光式鳴子である。
【図面の簡単な説明】
【００１５】
【図１】羽子板式鳴子の表面の斜視図
【図２】鳴子に発電モジュールを付した鳴子の斜視図
【図３】鳴子裏面に基盤及び発光ダイオードを付した斜視図
【図４】一部断面とした側面図
【図５】従来最も多く使用されている両面打ち鳴子の斜視図
【図６】両面打ち鳴子に発電モジュール及び発光ダイオードを付した斜視図
【図７】両面打ち鳴子に発光用部品を付した一部断面とした側面図
【符号の説明】
【００１６】
（１）鳴子板
（２）発電機能および振動感知センサー機能を備えた発電モジュール
（３）発光ダイオード
（４）発光ダイオード基盤
（５）鳴子バチ
（６）鳴子駒
【図１】
0003103065.tif 000003
【図２】
0003103065.tif 000004
【図３】
0003103065.tif 000005
【図４】
0003103065.tif 000006
【図５】
0003103065.tif 000007
【図６】
0003103065.tif 000008
【図７】
0003103065.tif 000009
【手続補正書】
【提出日】平成16年3月3日(2004.3.3)
【手続補正１】
【補正対象書類名】実用新案登録請求の範囲
【補正対象項目名】請求項２
【補正方法】変更
【補正の内容】
【請求項２】
発電モジュール（２）を鳴子本体の鳴子板（１）の表面中央部に埋め込み、裏面中央部及び表面両端に発光ダイオード（３）を装着し、鳴子を振ることによって発生した、発電モジュー（２）の振動を感知して通電することにより、発光ダイオード（３）が点滅することを構成した請求項１に記載の発光式鳴子。